(57)【特許請求の範囲】
【請求項１】
回転数検出用の信号を出力する冷却ファンを有して内部部品の冷却を行なうプロジェクタであって、
前記冷却ファンを駆動するファン駆動部と、
前記内部部品の温度を検出部品温度として検出する部品温度検出部と、
前記内部部品を冷却する場合に設定される所定温度を記憶する温度記憶部と、
前記部品温度検出部で検出された前記検出部品温度、および前記温度記憶部に記憶される前記所定温度を比較する温度比較部と
前記冷却ファンが出力する前記回転数検出用信号により前記冷却ファンの回転数を検出回転数として検出する回転数検出部と、
前記内部部品を冷却する場合に設定される前記冷却ファンの所定回転数を記憶する回転数記憶部と、
前記回転数検出部で検出された前記検出回転数、および前記回転数記憶部に記憶される前記所定回転数を比較する回転数比較部と、
前記冷却の動作を制御する冷却制御部と、を備え、
前記冷却制御部は、
前記温度比較部において前記検出部品温度が前記所定温度以下と判定された場合、前記回転数検出部および前記回転数比較部を動作させ、
前記回転数比較部において前記検出回転数が前記所定回転数より高いと判定された場合、前記ファン駆動部に対し、前記検出回転数を前記所定回転数近辺の回転数とする補正処理を行なわせ、前記冷却ファンを駆動することを特徴とするプロジェクタ。
【請求項２】
請求項１に記載のプロジェクタであって、
前記冷却制御部は、前記回転数比較部において前記検出回転数が前記所定回転数以下と判定された場合、前記ファン駆動部に対し前記検出回転数を維持させるように、前記冷却ファンを駆動することを特徴とするプロジェクタ。
【請求項３】
請求項１または請求項２に記載のプロジェクタであって、
前記冷却制御部は、前記温度比較部において前記検出部品温度が前記所定温度より高いと判定された場合、前記ファン駆動部に対し、前記検出部品温度を前記所定温度以下とさせる補正処理を行なわせ、前記冷却ファンを駆動することを特徴とするプロジェクタ。
【請求項４】
請求項１に記載のプロジェクタであって、
前記ファン駆動部は、前記冷却ファンに駆動信号を出力して前記冷却ファンを駆動し、
前記冷却制御部は、前記ファン駆動部に対し、前記補正処理として、前記駆動信号のデューティー比を所定値だけ上げる処理を行なわせ、前記冷却ファンを駆動することを特徴とするプロジェクタ。
【請求項５】
請求項１に記載のプロジェクタであって、
前記ファン駆動部は、前記冷却ファンに駆動電圧を出力して前記冷却ファンを駆動し、
前記冷却制御部は、前記ファン駆動部に対し、前記補正処理として、前記駆動電圧を所定値だけ上げる処理を行なわせ、前記冷却ファンを駆動することを特徴とするプロジェクタ。
【発明の詳細な説明】
【技術分野】
【０００１】
本発明は、プロジェクタに関するものである。
【背景技術】
【０００２】
従来、プロジェクタは、プロジェクタの内部部品に対して冷却する必要がある場合には、プロジェクタの内部に設置した冷却ファンを駆動（回転）させることにより冷却している。また、部品温度を検出する検出部としてサーミスタを用いて、内部部品の温度を管理している。そして、サーミスタにより検出される部品の温度が所定の温度以下の場合には、冷却ファンへ印加する駆動電圧を一定として冷却ファンを駆動している。
【０００３】
なお、特許文献１では、駆動回路（駆動信号を冷却部（冷却ファン）に供給する）の回路誤差を補正するデータをメモリに記憶させ、温度検出部の検出結果に基づいて駆動信号を生成し、生成した駆動信号をメモリに記憶した回路誤差の補正データに基づいて駆動回路の出力信号の誤差をあらかじめ補正して駆動回路に出力することが提示されている。
【０００４】
【特許文献１】特開２００６−１５４４６０号公報
【発明の開示】
【発明が解決しようとする課題】
【０００５】
上記、特許文献１によると、温度検出部の検出結果に基づいて生成される駆動信号に、記憶した回路誤差を補正して駆動回路に出力しても、実際に駆動される冷却ファン自体の有する特性のバラツキにより、駆動（印加）電圧に対する回転数のバラツキが発生するため、正確な回転数での駆動が行なえないという課題があった。なお、冷却ファンが必要以上に回転している場合には、プロジェクタの騒音が高くなり、また、内部部品によっては過冷却されるなどの問題も発生していた。
【課題を解決するための手段】
【０００６】
本発明は、上述した課題の少なくとも一部を解決するためになされたものであり、以下の形態または適用例として実現することが可能である。
【０００７】
（適用例１）本適用例に係るプロジェクタは、回転数検出用の信号を出力する冷却ファンを有して内部部品の冷却を行なうプロジェクタであって、冷却ファンを駆動するファン駆動部と、冷却ファンの出力する回転数検出用信号により冷却ファンの回転数を検出回転数として検出する回転数検出部と、内部部品を冷却する場合に設定される冷却ファンの所定回転数を記憶する回転数記憶部と、回転数検出部で検出された検出回転数と、回転数記憶部に記憶される所定回転数と、を比較する回転数比較部と、冷却の動作を制御する冷却制御部と、を備え、冷却制御部は、回転数比較部での検出回転数と所定回転数との比較判定結果に基づいて、ファン駆動部に対して所定の処理を行なわせ、冷却ファンを駆動することを特徴とする。
【０００８】
このようなプロジェクタによると、プロジェクタは、冷却ファンとファン駆動部と回転数検出部と回転数記憶部と回転数比較部と冷却制御部とを備えて構成されている。そして、冷却制御部は、回転数比較部での検出回転数と所定回転数との比較判定結果に基づいて、ファン駆動部に対して所定の処理を行なわせ、冷却ファンを駆動することを特徴とする。これにより、冷却ファンは所定の処理に対応する回転数で回転する。従って、従来の冷却ファンへの駆動電圧を生成するための回路部品の有する特性バラツキによる駆動（印加）電圧のバラツキや、冷却ファン自体の有する特性バラツキによる駆動（印加）電圧に対する回転数のバラツキなどが補正され、冷却ファンは、所定の処理に対応する正確な回転数で回転することが可能となる。また、所定の処理に対応する正確な回転数で回転することにより、プロジェクタの騒音レベルを低下させることができる。また、内部部品を必要以上に冷却（過冷却）することを防止することができる。なお、所定回転数とは、冷却ファンで内部部品を冷却する場合の冷却目標として設定される回転数を指している。
【０００９】
（適用例２）上記のプロジェクタであって、プロジェクタの内部部品の部品温度を検出部品温度として検出する部品温度検出部と、内部部品を冷却する場合に設定される所定温度を記憶する温度記憶部と、部品温度検出部で検出された検出部品温度と、温度記憶部に記憶される所定温度と、を比較する温度比較部と、を更に備え、冷却制御部は、温度比較部で、検出部品温度が所定温度以下と判定された場合、回転数検出部および回転数比較部を動作させることが好ましい。
【００１０】
このようなプロジェクタによると、プロジェクタは、部品温度検出部と温度記憶部と温度比較部とを更に備えている。そして、冷却制御部が回転数検出部および回転数比較部を動作させるのは、温度比較部で、検出部品温度が所定温度以下と判定された場合である。これにより、冷却制御部を含め、プロジェクタを統括して制御する制御部などの割り込み処理などに対する負荷を低減させることができる。なお、所定温度とは、冷却ファンで内部部品を冷却する場合の冷却目標として設定される温度を指している。
【００１１】
（適用例３）上記のプロジェクタであって、冷却制御部は、回転数比較部で、検出回転数が所定回転数より高いと判定された場合、ファン駆動部に対し、所定の処理として、検出回転数を所定回転数近辺の回転数とする補正処理を行なわせ、冷却ファンを駆動することが好ましい。
【００１２】
このようなプロジェクタによると、回転数比較部で、検出回転数が所定回転数より高いと判定された場合には、冷却制御部は、ファン駆動部に対し、所定の処理として、検出回転数を所定回転数近辺の回転数とする補正処理を行なわせ、冷却ファンを駆動することにより、冷却ファンは所定回転数近辺の回転数で回転する。これにより、検出回転数が所定回転数より高い場合（冷却ファンが必要以上に回転している場合）に、プロジェクタの騒音レベルを低下させることができる。また、内部部品を必要以上に冷却することを防止することができる。
【００１３】
（適用例４）上記のプロジェクタであって、冷却制御部は、回転数比較部で、検出回転数が所定回転数以下と判定された場合、ファン駆動部に対し、所定の処理として、検出回転数を維持させるように、冷却ファンを駆動することが好ましい。
【００１４】
このようなプロジェクタによると、冷却制御部は、回転数比較部で、検出回転数が所定回転数以下と判定された場合には、ファン駆動部に対し、所定の処理として、検出回転数を維持させるように、冷却ファンを駆動することにより、プロジェクタの騒音レベルを低い状態に維持することができる。
【００１５】
（適用例５）上記のプロジェクタであって、冷却制御部は、温度比較部で、検出部品温度が所定温度より高いと判定された場合、ファン駆動部に対し、所定の処理として、検出部品温度を所定温度以下とさせる補正処理を行なわせ、冷却ファンを駆動することが好ましい。
【００１６】
このようなプロジェクタによると、検出部品温度が所定温度より高いと判定された場合には、ファン駆動部に対し、所定の処理として、検出部品温度を所定温度以下とさせる補正処理を行なわせ、冷却ファンを駆動することにより、冷却制御部は、検出部品温度が所定温度より高いと判定された場合には、回転数検出を行なわず、部品温度に関して制御することにより、冷却制御部やプロジェクタを統括して制御する制御部などの回転数検出に伴う処理に対する負荷を低減することができる。
【発明を実施するための最良の形態】
【００１７】
以下、実施形態を図面に基づいて説明する。
（第１実施形態）
【００１８】
図１は、第１実施形態に係るプロジェクタの回路ブロック図である。図１を用いて、プロジェクタ１の構成および動作を説明する。
【００１９】
プロジェクタ１は、光源装置としてのランプ５１から射出された光束を、画像情報に応じて光変調装置としての液晶パネル５２で変調して光学像を形成し、その光学像を投写光学装置としての投写レンズ５３を介し、画像（例えば、カラー画像）としてスクリーン５００などに投写するものである。なお、上述したランプ５１、液晶パネル５２、および投写レンズ５３などを有してプロジェクタ１の光学系５０が構成されている。
【００２０】
最初に、プロジェクタ１の構成を説明する。
プロジェクタ１は、Ａ／Ｄコンバータ１１、ビデオデコーダ１２、画像処理回路１３、画像補正回路１４、液晶パネル駆動回路１５、ランプ駆動部１６、電源部１７などから構成される。また、プロジェクタ１は、冷却制御部２０、回転数記憶部２１、温度記憶部２２、ファン駆動部２３Ａ、ランプ用冷却ファン２５Ａ、液晶パネル用冷却ファン２６Ａ、ランプ用サーミスタ（ＴＨ）２７、液晶パネル用サーミスタ（ＴＨ）２８などから構成される。
【００２１】
また、プロジェクタ１は、制御部１０により統括制御されている。そして、制御部１０は、ＣＰＵ（Central Processing Unit）で構成される。このＣＰＵは、ＲＯＭ（Read Only Memory）およびＲＡＭ（Random Access Memory）を有して構成される。
【００２２】
冷却制御部２０は、プロジェクタ１の内部の冷却動作に関する制御を行なっている。また、冷却制御部２０は、制御部１０と同様に構成されている。なお、冷却制御部２０は、制御部１０の中の一部の機能として構成されていても良い。
【００２３】
ファン駆動部２３Ａは、本実施形態では、ＰＷＭ（Pulse Width Modulation）部２４Ａで構成されている。ファン駆動部２３Ａの詳細は後述する。また、ランプ用サーミスタ２７、液晶パネル用サーミスタ２８は、部品温度検出部として構成され、それぞれ、ランプ５１の温度、液晶パネル５２の温度を測定する。ランプ用サーミスタ２７、液晶パネル用サーミスタ２８の詳細は後述する。
【００２４】
次に、プロジェクタ１の動作を各部の動作説明により説明する。
Ａ／Ｄコンバータ１１は、ＰＣ画像信号入力端子４０に入力したＰＣ画像データをデジタル信号に変換し、画像処理回路１３に出力する。ビデオデコーダ１２は、ビデオ信号入力端子４１に入力した動画像データをデジタル信号に変換した後にＲ・Ｇ・Ｂの色信号に分離し、画像処理回路１３に出力する。
【００２５】
画像処理回路１３は、Ａ／Ｄコンバータ１１またはビデオデコーダ１２から入力したＰＣ画像データまたは動画像データ（以降、ＰＣ画像データまたは動画像データを画像データと称す）に、フレームレート変換およびスケーリング処理などを行なう。そして、画像処理回路１３は、フレームレート変換、スケーリング処理などを行なった画像データを画像補正回路１４に出力する。
【００２６】
画像補正回路１４は、入力した画像データの内容に基づいて、画像データにブライトネス調整、コントラスト調整、ガンマ補正処理などを施す。このように加工された画像データは、投写用映像信号として液晶パネル駆動回路１５に出力される。
液晶パネル駆動回路１５は、画像補正回路１４から入力した投写用映像信号をそれぞれの液晶パネル５２に出力し駆動する。
【００２７】
ランプ駆動部１６は、制御部１０の制御信号により、ランプ５１の点灯・消灯などの動作を実行させる。また、電源部１７は、プロジェクタ１の外部の商用電源などから電源ケーブル（図示省略）を介して交流電力を導き、内蔵するＡＣ／ＤＣ変換部（図示省略）で変圧・整流・平滑などの処理を行ない、安定化させた直流電圧をプロジェクタ１を構成する各部に供給する。
【００２８】
冷却制御部２０は、上述したように、プロジェクタ１の内部の冷却動作に関する制御を行なっている。詳細には、冷却制御部２０は、発熱によるランプ５１と液晶パネル５２との温度を、設定された冷却目標としての所定温度の範囲内（適正温度範囲内）に治めるように、ランプ用冷却ファン２５Ａおよび液晶パネル用冷却ファン２６Ａの制御を行なっている。
【００２９】
ファン駆動部２３Ａは、本実施形態では、上述したように、ＰＷＭ部２４Ａで構成され、パルス波のデューティー比を変化させ、駆動信号として出力する。そして、ファン駆動部２３Ａは、冷却制御部２０からの指示信号により、ランプ用冷却ファン２５Ａや液晶パネル用冷却ファン２６Ａなどを駆動するための設定された所定の駆動信号を出力する。
【００３０】
ランプ用冷却ファン２５Ａは、本実施形態では、回転数検出用の信号を出力し、ＰＷＭ制御用のＤＣファンモータを有して構成されている。そして、ランプ用冷却ファン２５Ａは、ファン駆動部２３Ａから出力される駆動信号により駆動（回転）し、ランプ５１の発光による熱を冷却する。なお、ランプ用冷却ファン２５Ａは、回転数に比例したパルス信号を回転数検出用の信号として、冷却制御部２０に出力する。また、ランプ用冷却ファン２５Ａには、本実施形態では、電源部１７から生成される１２ＶのＤＣ電圧が供給され、また、ファン駆動部２３Ａからは、デューティー比が可変された駆動信号が入力される。
【００３１】
また、液晶パネル用冷却ファン２６Ａも、本実施形態では、回転数検出用の信号を出力し、ＰＷＭ制御用のＤＣファンモータを有して構成されている。そして、液晶パネル用冷却ファン２６Ａは、ファン駆動部２３Ａから出力される駆動信号により駆動（回転）し、液晶パネル５２の発熱による熱を冷却する。また、液晶パネル用冷却ファン２６Ａは、回転数に比例したパルス信号を回転数検出用の信号として、冷却制御部２０に出力する。また、液晶パネル用冷却ファン２６Ａには、本実施形態では、電源部１７から生成される１２ＶのＤＣ電圧が供給され、また、ファン駆動部２３Ａからは、デューティー比が可変された駆動信号が入力される。
【００３２】
ランプ用サーミスタ２７は、部品温度検出部として構成され、ランプ５１の近傍に設置され、発光に伴うランプ５１の温度を測定する。また、測定した温度データを冷却制御部２０に出力する。また、液晶パネル用サーミスタ２８は、同様に部品温度検出部として構成され、液晶パネル５２の近傍に設置され、ランプ５１から射出される光束により発熱する液晶パネル５２の温度を測定する。また、測定した温度データを冷却制御部２０に出力する。
【００３３】
回転数記憶部２１は、本実施形態では、ランプ用冷却ファン２５Ａおよび液晶パネル用冷却ファン２６Ａがランプ５１および液晶パネル５２を冷却する場合、冷却目標とする所定温度に対応するランプ用冷却ファン２５Ａおよび液晶パネル用冷却ファン２６Ａのそれぞれの所定回転数を記憶している。
【００３４】
温度記憶部２２は、本実施形態では、ランプ用冷却ファン２５Ａおよび液晶パネル用冷却ファン２６Ａが、ランプ５１および液晶パネル５２を冷却する場合、冷却目標とするそれぞれの所定温度を記憶している。
【００３５】
また、冷却制御部２０は、回転数検出部として動作し、上述した、ランプ用冷却ファン２５Ａおよび液晶パネル用冷却ファン２６Ａから出力されたパルス信号を回転数検出用信号として入力し、読み込んだパルス信号をカウントしてそれぞれの検出回転数として検出する。なお、回転数検出部は、冷却制御部２０に保存する回転数検出部に対応するプログラムを実行することにより構築される。
【００３６】
また、冷却制御部２０は、部品温度検出部として動作し、ランプ用サーミスタ２７および液晶パネル用サーミスタ２８で検出されたそれぞれの温度データを入力し、入力した温度データによるそれぞれの温度を検出部品温度として検出する。なお、部品温度検出部は、冷却制御部２０に保存する部品温度検出部に対応するプログラムを実行することにより構築される。
【００３７】
また、冷却制御部２０は、温度比較部として動作し、温度記憶部２２に記憶されるランプ５１および液晶パネル５２のそれぞれの所定温度を取得し、それぞれの所定温度と、部品温度検出部で検出したそれぞれの検出部品温度とを比較し、検出部品温度が所定温度に対して高いか否かを判定する。そして、冷却制御部２０は、温度比較部で、検出部品温度が所定温度以下と判定された場合、回転数検出部および後述する回転数比較部を動作させる。
【００３８】
特に、冷却制御部２０は、本実施形態では、温度比較部で、部品温度が所定温度より高いと判定された場合、ファン駆動部２３Ａに対し、所定の処理として、検出部品温度を所定温度以下とさせるための補正処理を行なわせ、ランプ用冷却ファン２５Ａおよび液晶パネル用冷却ファン２６Ａを駆動する。なお、温度比較部は、冷却制御部２０に保存する温度比較部に対応するプログラムを実行することにより構築される。
【００３９】
また、冷却制御部２０は、回転数比較部として動作し、回転数記憶部２１に記憶されるランプ５１および液晶パネル５２のそれぞれの所定温度に対応する所定回転数を取得し、それぞれの所定回転数とランプ用冷却ファン２５Ａおよび液晶パネル用冷却ファン２６Ａのそれぞれの検出回転数とを比較して判定する。そして、冷却制御部２０は、回転数比較部での検出回転数と所定回転数との比較判定結果に基づいて、ファン駆動部２３Ａに対して所定の処理を行なわせ、ランプ用冷却ファン２５Ａおよび液晶パネル用冷却ファン２６Ａを駆動する。
【００４０】
特に、冷却制御部２０は、本実施形態では、上述した、温度比較部での判定において、検出部品温度が所定温度以下の場合で、検出回転数が所定回転数より高い場合、ファン駆動部に対し、所定の処理として、検出回転数を所定回転数近辺の回転数とする補正処理を行なわせ、ランプ用冷却ファン２５Ａおよび液晶パネル用冷却ファン２６Ａを駆動する。また、冷却制御部２０は、本実施形態では、上述した、温度比較部での判定において、検出部品温度が所定温度以下の場合で、検出回転数が所定回転数以下の場合、所定の処理として、検出回転数を維持させることで、ランプ用冷却ファン２５Ａおよび液晶パネル用冷却ファン２６Ａを駆動する。なお、回転数比較部は、冷却制御部２０に保存する回転数比較部に対応するプログラムを実行することにより構築される。
【００４１】
なお、冷却制御部２０は、図示しない他の構成部品などの冷却も制御しているが、本実施形態では説明を省略する。
【００４２】
次に、プロジェクタ１の光学系５０の構成および動作を簡単に説明する。
光学系５０は、光源装置と、照明光学系と、光変調装置と、色合成光学系と、投写光学装置とを有して構成されている。
【００４３】
光源装置は、本実施形態では、放電式のランプ５１を用いており、発光管で発光した光束をリフレクタで反射させて平行光として、次の照明光学系に射出する。なお、ランプ５１は、制御部１０からの制御信号を受信したランプ駆動部１６により駆動される。また、本実施形態のランプ５１は、超高圧水銀ランプを使用している。
【００４４】
照明光学系（図示省略）は、光源装置（ランプ５１）から射出された光束の照度を均一化し、各色光（赤色光、緑色光および青色光）に分離する。
光変調装置は、本実施形態では、液晶パネル５２を用いており、照明光学系で分離された各色光の光束に対して投写用映像信号に応じて変調して光学像を形成する。なお、液晶パネル５２は、前述した液晶パネル駆動回路１５により駆動される。また、本実施形態の液晶パネル５２は、各色光に対応させて、３枚の液晶パネル５２を使用している。
【００４５】
色合成光学系（図示省略）は、照明光学系で色分離され光変調装置（液晶パネル５２）で変調された各色光の光学像を合成する。
投写光学装置は、本実施形態では、投写レンズ５３を用いており、各種レンズ群で構成され、色合成光学系で合成された光学像を投写する。上記光学系５０の構成および動作により、光学像を画像としてプロジェクタ１の外部に設置されるスクリーン５００などに投写する。
【００４６】
図２は、プロジェクタの冷却制御部での冷却制御に関する処理手順を示すフローチャートである。なお、図２では、特に、液晶パネル５２に関して冷却制御を行なう場合の処理手順を示している。図２を用いて、冷却制御部２０での冷却制御に関する処理手順を説明する。
【００４７】
冷却制御部２０は、本ルーチンを開始し、ステップＳ１００へ移行する。
ステップＳ１００において冷却制御部２０は、部品温度検出部として動作する。冷却制御部２０は、液晶パネル用サーミスタ２８に、液晶パネル５２周辺の温度を液晶パネル５２の温度に対応する部品温度として検出させる。そして、冷却制御部２０は、検出した部品温度の温度データにより、液晶パネル５２の検出部品温度Ｔ１を検出する。次にステップＳ１０１へ移行する。
【００４８】
ステップＳ１０１において冷却制御部２０は、温度比較部として動作する。冷却制御部２０は、温度記憶部２２から液晶パネル５２の所定温度Ｔを読み込み、検出部品温度Ｔ１と所定温度Ｔとの比較を行なう。詳細には、検出部品温度Ｔ１が所定温度Ｔ以下であるか否かを比較して判定する。そして、検出部品温度Ｔ１が所定温度Ｔ以下であると判定した場合には、ステップＳ１０２に移行する。また、検出部品温度Ｔ１が所定温度Ｔより高いと判定した場合には、ステップＳ１０５に移行する。
【００４９】
ステップＳ１０２において冷却制御部２０は、回転数検出部として動作する。冷却制御部２０は、液晶パネル用冷却ファン２６Ａから出力されるパルス信号を回転数検出用信号として入力し、読み込んだパルス信号をカウントして液晶パネル用冷却ファン２６Ａの検出回転数Ｎ１として検出する。次にステップＳ１０３へ移行する。
【００５０】
なお、ステップＳ１０１において、温度比較部で、検出部品温度Ｔ１が所定温度Ｔより高いと判定し、ステップＳ１０５に移行した場合、ステップＳ１０５において冷却制御部２０は、ファン駆動部２３Ａに補正処理を行なわせる。詳細には、駆動信号（パルス波）のデューティー比を可変させる制御を行なう。本実施形態では、冷却制御部２０は、内部に保存する制御用プログラムを実行し、ファン駆動部２３Ａに指示信号を出力する。そして、ファン駆動部２３Ａ（ＰＷＭ部２４Ａ）は、冷却制御部２０からの指示信号により、現在のデューティー比に対してデューティー比を設定された所定値分上げる処理を補正処理として行ない、補正処理されたデューティー比による駆動信号を出力する。液晶パネル用冷却ファン２６Ａは、ファン駆動部２３Ａから出力された駆動信号により駆動することになる。なお、ステップＳ１０５を実行した後、ステップＳ１００に戻る。
【００５１】
ステップＳ１０３において冷却制御部２０は、回転数比較部として動作する。冷却制御部２０は、回転数記憶部２１から液晶パネル５２の所定温度Ｔに対応する液晶パネル用冷却ファン２６Ａの所定回転数Ｎを読み込み、検出回転数Ｎ１と所定回転数Ｎとの比較を行なう。詳細には、検出回転数Ｎ１が所定回転数Ｎ以下であるか否かを比較して判定する。そして、検出回転数Ｎ１が所定回転数Ｎ以下であると判定した場合には、ステップＳ１０４に移行する。また、検出回転数Ｎ１が所定回転数Ｎより高いと判定した場合には、ステップＳ１０６に移行する。
【００５２】
ステップＳ１０４において冷却制御部２０は、ファン駆動部２３Ａに液晶パネル用冷却ファン２６Ａが現在の検出回転数Ｎ１を維持させる指示信号を出力することにより、ファン駆動部２３Ａは、出力している現在の駆動信号（パルス波）のデューティー比を維持する。これにより、液晶パネル用冷却ファン２６Ａは、現在の回転数を維持して駆動する。  なお、ステップＳ１０４以降、ステップＳ１０７において、プロジェクタ１の電源スイッチ（ＳＷ）がＯＦＦか否かを確認し、電源ＳＷがＯＦＦではない場合には、ステップＳ１００に戻り同様の処理を繰り返す。また、電源がＯＦＦとなった場合には、上述したルーチンを終了させる。
【００５３】
なお、ステップＳ１０３において、回転数比較部で、検出回転数Ｎ１が所定回転数Ｎより高いと判定し、ステップＳ１０６に移行した場合、ステップＳ１０６において冷却制御部２０は、ファン駆動部２３Ａに補正処理を行なわせる。詳細には、駆動信号（パルス波）のデューティー比を可変させる制御を行なう。本実施形態では、冷却制御部２０は、内部に保存する制御用プログラムを実行し、ファン駆動部２３Ａに指示信号を出力する。そして、ファン駆動部２３Ａ（ＰＷＭ部２４Ａ）は、冷却制御部２０からの指示信号により、現在のデューティー比に対してデューティー比を設定された所定値分下げる処理を補正処理として行ない、補正処理されたデューティー比による駆動信号を出力する。液晶パネル用冷却ファン２６Ａは、ファン駆動部２３Ａから出力された駆動信号により駆動することになる。なお、ステップＳ１０６を実行した後、ステップＳ１００に戻り、上述したと同様の処理が行なわれる。このルーチンを繰り返すことにより、検出回転数Ｎ１を所定回転数Ｎ近辺の回転数に合わせ込むことができる。
【００５４】
図２では、液晶パネル５２に関して冷却制御を行なう場合の処理手順を示したが、ランプ５１に関して冷却制御を行なう場合にも、同様の処理手順で行なうことができる。
【００５５】
上述した実施形態によれば以下の効果が得られる。
（１）本実施形態のプロジェクタ１によると、液晶パネル用冷却ファン２６Ａとファン駆動部２３Ａと回転数検出部と回転数記憶部２１と回転数比較部と冷却制御部２０と部品温度検出部と温度記憶部２２と温度比較部とを備えている。また、部品温度検出部、回転数検出部、温度比較部、回転数比較部などは、冷却制御部２０の対応するプログラムの実行により構築される。そして、冷却制御部２０は、温度比較部で、液晶パネル５２の検出部品温度Ｔ１が所定温度Ｔ以下と判定された場合に、回転数検出部を動作させて、液晶パネル用冷却ファン２６Ａの検出回転数Ｎ１を検出する。そして、回転数比較部を動作させて、検出回転数Ｎ１と所定回転数Ｎとの比較を行ない、検出回転数Ｎ１が所定回転数Ｎより高い場合には、ファン駆動部２３Ａに対して駆動信号（パルス波）のデューティー比を所定値分下げるなどの補正処理を行なわせることにより、液晶パネル用冷却ファン２６Ａの回転を所定回転数Ｎ近辺の回転数にする。
従って、従来の冷却ファンへの駆動電圧を生成するための回路部品の有する特性バラツキによる生成された駆動電圧のバラツキや、冷却ファン自体の有する特性バラツキによる駆動電圧に対する回転数のバラツキなどが補正され、液晶パネル用冷却ファン２６Ａは、略正確な回転数で回転することが可能となる。また、所定回転数Ｎ近辺の回転数で回転するように補正されるため、液晶パネル５２を過冷却することを防止することができる。
また、検出回転数Ｎ１が所定回転数Ｎより高い場合（液晶パネル用冷却ファン２６Ａが必要以上に回転している場合）に、所定回転数Ｎ近辺の回転数に合わせ込むため、プロジェクタ１の騒音レベルを低減させることができる。
【００５６】
（２）本実施形態のプロジェクタ１によると、冷却制御部２０は、温度比較部で、液晶パネル５２の検出部品温度Ｔ１が所定温度Ｔより高いと判定された場合には、回転数検出部および回転数比較部を動作させない制御を行なうことにより、冷却制御部２０を含め、プロジェクタ１を統括して制御する制御部１０などの割り込み処理などに対する負荷を低減させることができる。
【００５７】
（３）本実施形態のプロジェクタ１によると、冷却制御部２０は、回転数比較部で、検出回転数Ｎ１が所定回転数Ｎ以下と判定された場合には、ファン駆動部２３Ａに、液晶パネル用冷却ファン２６Ａに対して現状の回転数（検出した検出回転数Ｎ１）での駆動を行なわせることにより、プロジェクタ１の騒音レベルを低い状態に維持することができる。
【００５８】
（４）本実施形態のプロジェクタ１によると、冷却制御部２０は、温度比較部で、液晶パネル５２の検出部品温度Ｔ１が所定温度Ｔより高いと判定された場合に、ファン駆動部２３Ａに対して指示信号を出力し、ファン駆動部２３Ａは、駆動信号（パルス波）のデューティー比を所定値分上げるなどの補正処理を行ない、液晶パネル用冷却ファン２６Ａを駆動し、検出部品温度Ｔ１を所定温度Ｔ以下にする。従って、冷却制御部２０は、液晶パネル５２の検出部品温度Ｔ１が所定温度Ｔより高いと判定された場合には、回転数検出を行なわず、液晶パネル５２の部品温度に関して制御することにより、冷却制御部２０やプロジェクタ１を統括して制御する制御部１０などの回転数検出に伴う処理に対する負荷を低減することができる。
【００５９】
なお、上述する効果は、冷却制御部２０が、ランプ用冷却ファン２５Ａおよびランプ用サーミスタ２７を用いて、ランプ５１に対して冷却制御する場合においても、同様の効果を奏する。
（第２実施形態）
【００６０】
図３は、第２実施形態に係るプロジェクタの回路ブロック図である。図３を用いて、プロジェクタ２の構成および動作を説明する。
【００６１】
なお、本実施形態は、第１実施形態の回路ブロックと比較して、ファン駆動部２３Ｂおよび冷却ファンとしてのランプ用冷却ファン２５Ｂおよび液晶パネル用冷却ファン２６Ｂが異なるのみであり、その他の回路構成は第１実施形態と同様である。また、図３において、第１実施形態と同様の構成の部分には、同様の符号を付している。従って、第１実施形態と異なる部分に関して説明を行なう。
【００６２】
本実施形態のファン駆動部２３Ｂは、駆動電圧生成部２４Ｂで構成され、冷却制御部２０の指示信号により、設定される所定の一定電圧を生成し、駆動電圧としてランプ用冷却ファン２５Ｂおよび液晶パネル用冷却ファン２６Ｂに出力する。
【００６３】
また、ランプ用冷却ファン２５Ｂは、本実施形態では、回転数検出用の信号を出力するＤＣファンモータを有して構成されている。そして、ランプ用冷却ファン２５Ｂは、ファン駆動部２３Ｂから出力される駆動電圧により駆動（回転）し、ランプ５１の発光による熱を冷却する。なお、ランプ用冷却ファン２５Ｂは、回転数に比例したパルス信号を回転数検出用の信号として、冷却制御部２０に出力する。
【００６４】
また、液晶パネル用冷却ファン２６Ｂも、本実施形態では、回転数検出用の信号を出力するＤＣファンモータを有して構成されている。そして、液晶パネル用冷却ファン２６Ｂは、ファン駆動部２３Ｂから出力される駆動電圧により駆動（回転）し、液晶パネル５２の発熱による熱を冷却する。なお、液晶パネル用冷却ファン２６Ｂは、回転数に比例したパルス信号を回転数検出用の信号として、冷却制御部２０に出力する。
【００６５】
図４は、プロジェクタの冷却制御部での冷却制御に関する処理手順を示すフローチャートである。なお、図４では、特に、液晶パネル５２に関して冷却制御を行なう場合の処理手順を示している。図４を用いて、冷却制御部２０での冷却制御に関する処理手順を説明する。
【００６６】
なお、本実施形態では、第１実施形態のフローチャートと比較して、冷却制御部２０の処理手順のうち、ステップＳ１０８とステップＳ１０９における処理内容が異なっているのみであり、他の処理手順は第１実施形態での処理手順と同様となる。なお、第１実施形態と同様の処理手順の部分には、同様の符号を付している。従って、第１実施形態と異なる部分に関して説明を行なう。
【００６７】
本実施形態では、ステップＳ１０１において、温度比較部で、検出部品温度Ｔ１が所定温度Ｔより高いと判定し、ステップＳ１０８に移行した場合、ステップＳ１０８において冷却制御部２０は、ファン駆動部２３Ｂに補正処理を行なわせる。詳細には、駆動電圧を可変させる制御を行なう。本実施形態では、冷却制御部２０は、内部に保存する制御用プログラムを実行し、ファン駆動部２３Ｂに指示信号を出力する。そして、ファン駆動部２３Ｂ（駆動電圧生成部２４Ｂ）は、冷却制御部２０からの指示信号により、現在の駆動電圧に対して設定された所定値分駆動電圧を上げる処理を補正処理として行ない、補正処理された駆動電圧を出力する。液晶パネル用冷却ファン２６Ｂは、ファン駆動部２３Ｂから出力された駆動電圧により駆動することになる。なお、ステップＳ１０８を実行した後、ステップＳ１００に戻る。
【００６８】
また、本実施形態では、ステップＳ１０３において、回転数比較部で、検出回転数Ｎ１が所定回転数Ｎより高いと判定し、ステップＳ１０９に移行した場合、ステップＳ１０９において冷却制御部２０は、ファン駆動部２３Ｂに補正処理を行なわせる。詳細には、駆動電圧を可変させる制御を行なう。本実施形態では、冷却制御部２０は、内部に保存する制御用プログラムを実行し、ファン駆動部２３Ｂに指示信号を出力する。そして、ファン駆動部２３Ｂ（駆動電圧生成部２４Ｂ）は、冷却制御部２０からの指示信号により、現在の駆動電圧に対して設定された所定値分駆動電圧を下げる処理を補正処理として行ない、補正処理された駆動電圧を出力する。液晶パネル用冷却ファン２６Ｂは、ファン駆動部２３Ｂから出力された駆動電圧により駆動することになる。なお、ステップＳ１０９を実行した後、ステップＳ１００に戻り、第１実施形態と同様の動作処理が行なわれる。このルーチンを繰り返すことにより、検出回転数Ｎ１を所定回転数Ｎ近辺の回転数に合わせ込むことができる。
【００６９】
図４では、液晶パネル５２に関して冷却制御を行なう場合の処理手順を示したが、ランプ５１に関して冷却制御を行なう場合にも、同様の処理手順で行なうことができる。
【００７０】
上述した実施形態によれば、冷却ファンとしてのランプ用冷却ファン２５Ｂ、液晶パネル用冷却ファン２６Ｂが、ＰＷＭ制御用のＤＣファンモータではなく、定電圧用のＤＣファンモータを使用した場合にも、ファン駆動部２３Ｂとして駆動電圧生成部２４Ｂを構成し、所定の駆動電圧を生成することにより、第１実施形態と同様の効果を奏する。
【００７１】
なお、上述した実施形態に限定されず、種々の変更や改良などを加えて実施することが可能である。変形例を以下に述べる。
【００７２】
（変形例１）前記実施形態では、温度比較部での判定において、検出部品温度Ｔ１が所定温度Ｔ以下と判定された場合に、回転数検出部や回転数比較部を動作させているが、これに限られず、検出部品温度Ｔ１が所定温度Ｔより高い場合にも、回転数検出部や回転数比較部を動作させることでもよい。これにより、冷却制御部２０や制御部１０への負荷はかかるが、正確な回転を行なわせることができる。
【００７３】
（変形例２）前記実施形態では、ランプ用サーミスタ２７、液晶パネル用サーミスタ２８の２つのサーミスタを用いて、ランプ５１および液晶パネル５２の温度を検出し、ランプ用冷却ファン２５Ａ，２５Ｂ、液晶パネル用冷却ファン２６Ａ，２６Ｂを制御しているが、これに限られず、どちらか一方のサーミスタを用いて、ランプ用冷却ファン２５Ａ，２５Ｂ、液晶パネル用冷却ファン２６Ａ，２６Ｂを制御することでもよい。その場合、使用するサーミスタの検出部品温度に対応するそれぞれの補正処理を設定することで実現する。
【００７４】
（変形例３）前記実施形態では、光変調装置に３つの液晶パネル５２を用いたプロジェクタ１，２を説明したが、これに限られない。例えば、１つの液晶パネルのみを用いたプロジェクタ、２つの液晶パネルを用いたプロジェクタ、あるいは、４つ以上の液晶パネルを用いたプロジェクタにも適用可能である。
【００７５】
（変形例４）前記実施形態では、透過型の液晶パネル５２を用いているが、反射型の液晶パネルなど、反射型の光変調装置を用いることも可能である。
【００７６】
（変形例５）前記実施形態では、光変調装置に液晶パネル５２を用いている。しかし、これに限られず、一般に、入射光を画像情報に応じて変調するものであればよく、マイクロミラー型光変調素子などを用いても良い。なお、マイクロミラー型光変調素子としては、例えば、ＤＭＤ（Digital Micromirror Device）を用いることができる。
【００７７】
（変形例６）前記実施形態では、光源装置としてのランプ５１に放電式ランプを用いているが、これに限られず、光源装置として、ＬＥＤ（Light Emitting Diode）素子やＬＤ（Laser Diode）素子などを用いることができる。
【００７８】
（変形例７）前記実施形態のプロジェクタ１，２は、フロントタイプのプロジェクタとして適用しているが、投写対象面としてのスクリーンを一体で有するリアタイプのプロジェクタにも適用できる。
【図面の簡単な説明】
【００７９】
【図１】第１実施形態に係るプロジェクタの回路ブロック図。
【図２】プロジェクタの冷却制御部での冷却制御に関する処理手順を示すフローチャート。
【図３】第２実施形態に係るプロジェクタの回路ブロック図。
【図４】プロジェクタの冷却制御部での冷却制御に関する処理手順を示すフローチャート。
【符号の説明】
【００８０】
１，２…プロジェクタ、２０…冷却制御部、２１…回転数記憶部、２２…温度記憶部、２３Ａ，２３Ｂ…ファン駆動部、２４Ａ…ＰＷＭ部、２４Ｂ…駆動電圧生成部、２５Ａ，２５Ｂ…ランプ用冷却ファン、２６Ａ，２６Ｂ…液晶パネル用冷却ファン、２７…ランプ用サーミスタ、２８…液晶パネル用サーミスタ、５０…光学系、５１…ランプ、５２…液晶パネル、５３…投写レンズ、５００…スクリーン、Ｎ…所定回転数、Ｎ１…検出回転数、Ｔ…所定温度、Ｔ１…検出部品温度。
【図１】
0005130902.tif 000002
【図２】
0005130902.tif 000003
【図３】
0005130902.tif 000004
【図４】
0005130902.tif 000005